(57)【特許請求の範囲】
【請求項１】
軟質発泡体と、当該軟質発泡体に埋設してなる発熱体と、前記軟質発泡体の表面に配設してなる表面材とで本体を構成し、前記軟質発泡体には芳香材料、または、消臭材料の少なくともいずれか一方を混合するとともに、発泡形態を連続通気発泡状態として本体の周囲に設けた通気孔に連通させ、使用者などの荷重が前記本体へ繰り返し加わることで軟質発泡体内部に外気に対する呼吸作用を強制的に生じさせるようにした電気採暖具。
【請求項２】
芳香材料は、芳香剤を練り込みまたは表面担持してなる繊維、または芳香剤を封入した感圧マイクロカプセルからなる請求項１に記載の電気採暖具。
【請求項３】
消臭材料は、消臭剤を練り込みまたは表面担持してなる繊維、または消臭剤を封入した感圧マイクロカプセルからなる請求項１に記載の電気採暖具。
【発明の詳細な説明】
【０００１】
【発明の属する技術分野】
本発明は、電気カーペット等の電気採暖具に関するものである。
【０００２】
【従来の技術】
従来の電気カーペット等の電気採暖具は、一般的には図６に示すようにフェルト等の繊維質の断熱材１２にコード状のチユービングヒータ等の発熱体１を配設し、その上に熱融着シート１３、不織布等の表面材２を配置して熱プレスにより熱融着シート１３を溶かしつつ、断熱材１２と表面材２を圧著して発熱体１を固定し、ヒータユニット１４を形成していた。
【０００３】
実際の使用時には、ヒータユニット１４の上にタフト織りやマイヤー織り等のカーペットカバー８を敷いて使われるケースがもっとも多い。また、タフト織りやマイヤー織り等のカーペットカバーを表面材２として直接使用したものもある。
【０００４】
近年、住宅の気密性の向上により屋内と屋外、各部屋間の空気の流通が少なくなっているため、室内に悪臭が発生した場合、室内に滞留してしまい、快適な室内生活を過ごすことができなくなってきている。この間題を解決するためのひとつの手段として、芳香剤あ
るいは消臭剤を練り込んだ繊維、またはそれらを表面に塗布した繊維を羽毛に使用したカーペットカバー８をヒータユニット１４の上に敷いたり、ヒータユニット１４の表面材２として使用しているケースがある。
【０００５】
これは、自然対流により室内の空気がカーペットカバー８の繊維間を通過していくので、繊維に練り込まれたり表面に塗布されている芳香剤はその空気の流れに乗って室内に拡散していき、消臭剤の場合は、空気の流れに乗って繊維間を通過しようとする悪臭成分を吸着あるいは分解することができるというものである。
【０００６】
【発明が解決しようとする課題】
通常、電気カーペット等の電気採暖具の耐用年数は５〜１０年、カーペットカバーの耐用年数は３〜１０年であり、芳香剤や消臭剤の量もその効果が耐用年数まで維持できるよぅに設定されているものである。ただし、その設定にあたっては、人の出入り等がなく電気採暖具およびカーペットカバーが室内に設置された状態を基準にしているのが普通である。
【０００７】
ところで、実際の使用にあたっては、カーペットカバーは直接歩いたり座ったり、また、掃除機で擦られたりするので、カーペットカバーの毛羽を構成している繊維は、しだいに摩耗したり抜けたりする。したがって繊維に練り込まれたり表面に塗布されている芳香剤や消臭剤の量は減少していき、耐用年数期限前に芳香剤や消臭剤の効果がなくなってしまうという課題を有していた。
【０００８】
また、室内の自然対流は小さいので、芳香剤の拡散速度や消臭剤による悪臭成分の吸着率、分解率が小さく、実生活においてその効果を実感しにくいという課題を有していた。
【０００９】
【課題を解決するための手段】
本発明は上記の課題を解決するために、軟質発泡体と、当該軟質発泡体に埋設してなる発熱体と、前記軟質発泡体の表面に配設してなる表面材とで本体を構成し、前記軟質発泡体には芳香材料、または、消臭材料の少なくともいずれか一方を混合するとともに、発泡形態を連続通気発泡状態として本体の周囲に設けた通気孔に連通させ、使用者などの荷重が前記本体へ繰り返し加わることで軟質発泡体内部に外気に対する呼吸作用を強制的に生じさせるようにしたものである。
【００１０】
上記発明によれば、芳香材料または消臭材料は軟質発泡体に混合されており、その軟質発泡体は表面に表面材が配設されているので、実使用において、軟質発泡体はその上を直接歩いたり座ったり、掃除機で擦られたりすることがないので、軟質発泡体が磨耗等により減少することはない。したがって、軟質発泡体に混合されている芳香材料または消臭材料の量が減少することはなく、よって、当初の設定通り耐用年数期間中、一芳香材料や消臭材料の効果を維持することができる。
【００１１】
また、軟質発泡体の発泡形態が連続通気発泡状態（軟質発泡体を構成している気泡同志が部分的に貫通孔で繋がっている発泡状態のことをいう）なので、電気採暖具の本体がカーペットカバー等を介して踏まれると、踏まれた部分の気泡が圧縮されて、そこに含まれていた空気が気泡同志を部分的に繋げている貫通孔を通って本体の周囲に設けてある通気孔から流出し、さらに踏まれた所から足が離れると、踏まれていた部分の気泡が元に戻るので、逆に通気孔から室内の空気が本体内に流入し気泡同志を部分的に繋げている貫通孔を通って元に戻った気泡内に入り込む。
【００１２】
つまり、電気採暖具上を歩くと強制的に本体が呼吸するので、室内の自然対流に較べて空気通過量が多くなり、芳香材料ならば拡散速度は速くなり、消臭材料ならば悪臭成分の吸着率、分解率も大きくなる。
【００１３】
【発明の実施の形態】
本発明は、軟質発泡体と、当該軟質発泡体に埋設してなる発熱体と、前記軟質発泡体の表面に配設してなる表面材とで本体を構成し、前記軟質発泡体には芳香材料、または、消臭材料の少なくともいずれか一方を混合するとともに、発泡形態を連続通気発泡状態として本体の周囲に設けた通気孔に連通させ、使用者などの荷重が前記本体へ繰り返し加わることで軟質発泡体内部に外気に対する呼吸作用を強制的に生じさせるようにしたものである。
【００１４】
そして、芳香材料または消臭材料の少なくともいずれか一方を混合した軟質発泡体は表面に表面材が配設されており、実使用において、軟質発泡体はその上を直接歩いたり座ったり、掃除機で擦られたりすることがないので、軟質発泡体が摩耗等によって減少することはない。
【００１５】
したがって、軟質発泡体に混合されている芳香材料または消臭材料の量が減少することはなく、よって、当初の設定通り耐用年数期間中、芳香材料や消臭材料の効果を維持することができる。
【００１６】
また、軟質発泡体の発泡形態が連続通気発泡状態としてあるので、電気採暖具の本体がカーペットカバー等を介して踏まれると、軟質発泡体が圧縮して気泡に含まれていた空気が順次気泡の中を流れて本体の周囲に設けてある通気孔から流出し、さらに踏まれた所から足が離れると、軟質発泡体は元に戻り、逆に通気孔から空気が本体内に流入して元に戻った気泡内に室内の空気が入り込む。
【００１７】
つまり、電気採暖具上を歩くと強制的に本体が呼吸するので、室内の自然対流に比べて空気通過量が多くなり、芳香材の拡散速度は速くなり、消臭剤による悪臭成分の吸着率、分解率も大きくなる。
【００１８】
具体的には、芳香材料として芳香剤または消臭材料として消臭剤を練り込むか、または表面担持してなる繊維を前記軟質発泡体に混合した構成としている。
【００１９】
そして、繊維を軟質発泡体に混合しているので、軟質発泡体の引っ張りや引き裂き強度を向上することができる。また、混合した繊維の分だけ軟質発泡体の量を減らすことができる。
【００２０】
別の具体策としては、芳香材料として芳香剤または消臭材料として消臭剤を封入してなる感庄マイクロカプセルを前記軟質発泡体に混合した構成としている。
【００２１】
そして、実際に使用されない状態、すなわち、工場から出荷されユーザーに届くまでの梱包状態の間や夏場押入れ等にしまわれている状態では、感圧マイクロカプセルにほとんど圧力が加わらず、実際に使用されている状態で、電気採暖具が踏まれて圧力が加わると感庄マイクロカプセルが破壊されて芳香剤または消臭剤が外部に出てくるので、実生活の中で芳香剤または消臭剤の効果を有効に使用することができる。
【００２２】
【実施例】
以下、本発明の実施例について図面を用いて説明する。
【００２３】
（実施例１）
図１は本発明の実施例１の電気採暖具の斜視断面図であり、図２は電気採暖具の部分拡大断面図である。
【００２４】
図１において、本体６は表面材２の間で軟質発泡体３を発泡成形しており、コード状チユービングヒータ等からなる発熱体１は、軟質発泡体３に埋設するかたちで配設固定されている。図２において、軟質発泡体３の中には、芳香剤４または消臭剤５が混合されており、軟質発泡体３は、それを構成しているセル（気泡）９の壁が隣接するセル９と繋がっている連続通気発泡状態になるよう成形されている。
【００２５】
軟質発泡体３の中に混合している芳香剤４または消臭剤５は、人の出入りがない室内に本体６を放置した状態で芳香剤４または消臭剤５の効果が耐用年数期間中維持できる量が混合されている。
【００２６】
なお、芳香剤４としては、動物性香料、植物性香料あるいは合成香料を使用し、消臭剤５としては、脂肪族カルポン酸などの有機酸、脂肪族アルデヒドなどのアルデヒド化合物、メタアクリル酸エステル、マレイン酸エステルなどの活性二重結合基を有する化合物、サイクロデキストリン、あるいは金属フタロシアニンを使用している。
【００２７】
また、図３に示すように、本体６の周囲には、複数の通気孔７が形成されており、本体６の内部の空気と外部の空気が通気孔７を介して流通するようになっている。なお、本体６の上には、カーペットカバー８が載置されている。
【００２８】
次に動作、作用について説明する。軟質発泡体３は、表面材２とカーペットカバー８により二重に保護されており、軟質発泡体３の上を直接歩いたり座ったりすることはなく、掃除機で擦られたりすることもないので、軟質発泡体３が摩耗等によって減少することがない。したがって、軟質発泡体３に混合されている芳香剤４または消臭剤５の量は減少することはなく、当初の設定通り耐用年数期間中、芳香剤４または消臭剤５の効果を維持することができる。
【００２９】
また、軟質発泡体３は連続通気発泡なので、踏まれると軟質発泡体３が圧縮してセル（気泡）９に含まれていた空気が順次セル（気泡）９内を流れて本体６周囲に設けてある通気孔７から流出していき、芳香剤４はその空気の流れに乗って室内に拡散される。また、消臭剤５であれば、悪臭のなくなった空気が室内に放出される。
【００３０】
次に足を元に戻すと踏まれていた箇所の軟質発泡体３は復帰し、通気孔７から新しい室内の空気が本体６内に流入して復帰したセル（気泡）９内に充満する。このように、踏みつけにより本体６が強制的に呼吸するので、室内の自然対流に比べて軟質発泡体３内の空気通過量は多くなり、芳香剤４であれば拡散速度は速くなり、消臭剤５であれば悪臭成分の吸着率、分解率も大きくなる。
【００３１】
（実施例２）
図４は本発明の実施例２の電気採暖具の部分拡大断面図であり、芳香剤４または消臭剤５を練り込みまたは表面担持してなる繊維１０を軟質発泡体３に混合している。繊維材料としては、練り込みならば、アクリル、ポリエステル、レーヨンなどの合成繊維が適当であり、表面担持ならば、合成繊維のほか、綿や羊毛などの天然繊維でもよい。
【００３２】
一般的に、合成樹脂に繊維等を混合すると剛性が向上するが、軟質発泡体３に繊維１０を混合しても剛性が向上し、引っ張り強度や引き裂き強度が向上する。
【００３３】
このようにすれば、実施例１で述べたように、当初の設定通り耐用年数期間中の芳香剤４または消臭剤５の効果を維持でき、芳香剤４では拡散速度が速くなり、消臭剤５では悪臭成分の吸着率、分解率が大きくなるという効果のほかに本体６の引っ張り強度、引き裂き強度、折り曲げ強度が向上するという効果も付加される。
【００３４】
なお、本実施例２では、繊維に芳香剤４または消臭剤５を練り込みまたは表面担持しているが、他にセラミックなどに芳香剤４または消臭剤を表面担持させたものを軟質発泡体３に混合しても同様の効果が得られる。
【００３５】
（実施例３）
図５は本発明の実施例３の電気採暖具の部分拡大断面図であり、芳香剤４または消臭剤５を封入した感圧マイクロカプセル１１を軟質発泡体３に混合している。
【００３６】
このようにすれば、電気採暖具が実際には使用されない状態、すなわち、工場から出荷されユーザーに届くまでの梱包状態の間や夏場の押し入れ等にしまわれている状態では、感圧マイクロカプセル１１にはほとんど圧力が加わらないため、芳香剤４または消臭剤５は、その機能を発揮せず、実際に使用されている状態、すなわち、電気採曖具が踏まれたり座られたりしたような場合には、圧力が加わって感圧マイクロカプセル１１が破壊されて方向剤４または消臭剤５が軟質発泡体３内に出てくるので実施例１と同じ効果を有することができる。しかも、実施例３の場合は、必要な場合だけ芳香剤４または消臭剤５の機能を発揮させることができるので、その効果を有効に使用することができる。
【００３７】
【発明の効果】
以上のように本発明は、軟質発泡体と、当該軟質発泡体に埋設してなる発熱体と、前記軟質発泡体の表面に配設してなる表面材とで本体を構成するとともに、前記軟質発泡体には芳香材料または、消臭材料の少なくともいずれか一方を混合するとともに、発泡形態を連続通気発泡状態とし、かつ、本体の周囲に前記連続通気発泡空間に連通する通気孔を設けたものであるから、軟質発泡体は、表面材とカーペットカバーにより二重に保護されており、軟質発泡体の上を直接歩いたり座ったり、掃除機で擦られたりすることもなく、軟質発泡体が磨耗等によって減少することがない。
【００３８】
したがって、軟質発泡体に混合されている芳香剤または消臭剤の量は減少することはなく、当初の設定通り耐用年数期間中、芳香剤または消臭剤の効果を維持することができる。また、踏みつけにより本体が強制的に呼吸するので、室内の自然対流に較べて軟質発泡体内の空気通過量は多くなり、芳香剤であれば拡散速度は速くなり、消臭剤であれば悪臭成分の吸着率、分解率も大きくなるという有利な効果を有する。
【００３９】
また、芳香材料または消臭材料として、芳香剤または消臭剤を練り込みまたは表面担持してなる繊維を前記軟質発泡体に混合すれば、上記の効果に加えて本体の引っ張り強度、引き裂き強度、折り曲げ強度が向上するという効果も付加される。
【００４０】
さらに、芳香材料または消臭材料として、芳香剤または消臭剤を封入してなる感圧マイクロカプセルを前記軟質発泡体に混合すれば、必要な場合だけ芳香剤または消臭剤の機能を発揮させることができるので、上記の効果をさらに有効に使用することができる。
【図面の簡単な説明】
【図１】  本発明の実施例１の電気採暖具の斜視断面図
【図２】  同電気採暖具の部分拡大断面図
【図３】  同電気採暖具の周囲部分断面図
【図４】  本発明の実施例２の電気採暖具の部分拡大断面図
【図５】  本発明の実施例３の電気採暖具の部分拡大断面図
【図６】  従来の電気採暖具の斜視断面図
【符号の説明】
１  発熱体
２  表面材
３  軟質発泡体
４  芳香剤
５  消臭剤
６  本体
７  通気孔
８  カーペットカバー
９  セル（気泡）
１０  繊維
１１  感圧マイクロカプセル
【図１】
0003979160.tif 000002
【図２】
0003979160.tif 000003
【図３】
0003979160.tif 000004
【図４】
0003979160.tif 000005
【図５】
0003979160.tif 000006
【図６】
0003979160.tif 000007